(57)【要約】【課題】蓋体をロックするスライド操作片の破損などを抑えることのできる電子機器を提供する。【解決手段】本発明に係る電子機器は、ケーシング20と、ケーシングに着脱可能に装着され、スリット44の貫通開設されたカバー40と、カバーをロックするためのロック機構であって、カバーのスリットにスライド可能に嵌まり、ロック位置とロック解除位置との間を往復移動可能なスライダー51と、スライダーからケーシングに向けて突設される軸部54と、軸部の先端から軸部の延びる方向と異なる方向に突設される係合片56と、を具えるスライド操作片50と、ケーシングに突設され、カバーを装着した状態でスライド操作片をロック位置にスライドさせたときに、係合片と係合する係合受部30と、を含むロック機構と、を具え、係合片は、ケーシングと対向する外面の先端に傾斜面58が形成されており、係合受部は、カバーと対向する外面の先端に傾斜面33が形成されている。【選択図】図８
2015005791.tif 000002
【特許請求の範囲】
【請求項１】
ケーシングと、
前記ケーシングに着脱可能に装着され、スリットの貫通開設されたカバーと、
前記カバーを前記ケーシングにロックするためのロック機構であって、
前記カバーの前記スリットにスライド可能に嵌まり、ロック位置とロック解除位置との間を往復移動可能なスライダーと、前記スライダーから前記ケーシングに向けて突設される軸部と、前記軸部の先端から前記軸部の延びる方向と異なる方向に突設される係合片と、を具えるスライド操作片と、
前記ケーシングに突設され、前記カバーを装着した状態で前記スライド操作片をロック位置にスライドさせたときに、前記係合片と係合する係合受部と、
を含むロック機構と、
を具える電子機器において、
前記スライド操作片の前記係合片は、前記ケーシングと対向する外面の先端に傾斜面が形成されており、
前記係合受部は、前記カバーと対向する外面の先端に傾斜面が形成されている、
ことを特徴とする電子機器。
【請求項２】
前記係合片と前記係合受部は、前記スリットの前記幅方向略中央と対向する位置で当接する、
請求項１に記載の電子機器。
【請求項３】
前記係合片は、前記軸部の軸心と前記スライダーのスライド方向に略直交する幅方向に向けて突設される、
請求項１又は２記載の電子機器。
【請求項４】
前記ケーシング又は前記カバーには、前記スライド操作片のロック位置側に、前記カバーを外すための指掛かり部が形成されており、
前記係合受部は、前記係合片と対向する内面のロック解除側先端に傾斜面が形成されている、
請求項１乃至請求項３の何れかに記載の電子機器。
【請求項５】
ケーシングと、
前記ケーシングに着脱可能に装着され、スリットの貫通開設されたカバーと、
前記カバーを前記ケーシングにロックするためのロック機構であって、
前記カバーの前記スリットにスライド可能に嵌まり、ロック位置とロック解除位置との間を往復移動可能なスライダーと、前記スライダーから前記ケーシングに向けて突設される軸部と、前記軸部の先端から前記軸部の延びる方向と異なる方向に突設される係合片と、を具えるスライド操作片と、
前記ケーシングに突設され、前記カバーを装着した状態で前記スライド操作片をロック位置にスライドさせたときに、前記係合片と係合する係合受部と、
を含むロック機構と、
を具える電子機器において、
前記ケーシング又は前記カバーには、前記スライド操作片のロック位置側に、前記カバーを外すための指掛かり部が形成されており、
前記係合受部は、前記係合片と対向する内面のロック解除側先端に傾斜面が形成されている、
ことを特徴とする電子機器。
【発明の詳細な説明】
【技術分野】
【０００１】
本発明は、バッテリ収容室の蓋体等のカバーが着脱可能な電子機器に関するものである。
【背景技術】
【０００２】
携帯電話機やスマートフォンの如き電子機器では、バッテリやメモリカードなどを収容する収容室がケーシングに形成されており、この収容室を蓋体で覆うようにしている。蓋体を取り付けた状態で、蓋体が脱落してしまうことがないように、蓋体をケーシングに対してロック可能なスライド操作片を具えた電子機器が提案されている。
【０００３】
スライド操作片は、蓋体にスライド可能に配備される。蓋体をケーシングに取り付けた状態で、スライド操作片をロック位置にスライドさせ、スライド操作片に設けられた係合片をケーシングに形成された係合受部に係合させることで、蓋体をケーシングにロックすることができる。
蓋体を取り外す際には、スライド操作片をロック解除位置にスライドさせ、係合受部と係合片との係合を解き、蓋体を持ち上げればよい。
【０００４】
しかしながら、スライド操作片がロック位置に移動したまま、蓋体をケーシングに装着してしまうことがある。このような場合、蓋体をケーシングに無理に押し付けると、係合片が係合受部と押し込み方向に当接してしまい、スライド操作片が蓋体から外れてしまったり、破損してしまうことがある。
【０００５】
そこで、特許文献１では、蓋体とスライド操作片との間にゴム材から構成される弾性体を配備し、上記のような操作の際に、スライド操作片がケーシングと当たると、スライド操作片がロック解除位置に移動するようにしている。
【先行技術文献】
【特許文献】
【０００６】
【特許文献１】特開２０１２−５４１９３号公報
【発明の概要】
【発明が解決しようとする課題】
【０００７】
しかしながら、弾性体を配備することでその構造が複雑となる。また、スライド操作片は、ロック解除位置に移動するため、蓋体をケーシングに装着した後、再度スライド操作片をロック位置に移動させる必要がある。
【０００８】
また、蓋体をケーシングに装着した状態で、スライド操作片をロック位置にしたまま蓋体を無理に外そうとすると、スライド操作片が蓋体から外れてしまったり、破損してしまうことがある。
【０００９】
本発明の目的は、蓋体をロックするスライド操作片の破損などを抑えることのできる電子機器を提供することである。
【課題を解決するための手段】
【００１０】
本発明に係る電子機器は、
ケーシングと、
前記ケーシングに着脱可能に装着され、スリットの貫通開設されたカバーと、
前記カバーを前記ケーシングにロックするためのロック機構であって、
前記カバーの前記スリットにスライド可能に嵌まり、ロック位置とロック解除位置との間を往復移動可能なスライダーと、前記スライダーから前記ケーシングに向けて突設される軸部と、前記軸部の先端から前記軸部の延びる方向と異なる方向に突設される係合片と、を具えるスライド操作片と、
前記ケーシングに突設され、前記カバーを装着した状態で前記スライド操作片をロック位置にスライドさせたときに、前記係合片と係合する係合受部と、
を含むロック機構と、
を具える電子機器において、
前記スライド操作片の前記係合片は、前記ケーシングと対向する外面の先端に傾斜面が形成されており、
前記係合受部は、前記カバーと対向する外面の先端に傾斜面が形成されている。
【発明の効果】
【００１１】
本発明に係る携帯電子機器によれば、係合片と係合受部には夫々外面に傾斜面が形成されているから、スライド操作片がロック位置にある状態で、無理にカバーをケーシングに押し付けようとしたときに、傾斜面どうしが当接し、係合片の傾斜面が係合受部の傾斜面を滑ることで、係合片は係合受部を乗り越えてロック状態に至る。
【図面の簡単な説明】
【００１２】
【図１】図１は、本発明の一実施形態に係る電子機器のケーシング、蓋体（カバー）及びスライド操作片の分解斜視図である。
【図２】図２は、ケーシングから蓋体を取り外した状態を示す斜視図である。
【図３】図３は、スライド操作片をスライダー側から見た斜視図である。
【図４】図４は、スライド操作片を係合片側から見た斜視図である。
【図５】図５は、図２の線Ｖ−Ｖに沿う要部断面図である。
【図６】図６は、図２の線ＶＩ−ＶＩに沿う要部断面図である。
【図７】図７は、図５の線ＶＩＩ−ＶＩＩに沿う要部断面図である。
【図８】図８は、スライド操作片がロック位置にある状態で、蓋体をケーシングに押し込んでいる過程を示す説明図である。
【図９】図９は、蓋体がケーシングに取り付けられ、スライド操作片がロック位置にあるまま、蓋体を外している過程を示す説明図である。
【発明を実施するための形態】
【００１３】
以下、本発明をスマートフォンに適用した実施形態について図面を参照しながら説明する。なお、本発明を適用可能な電子機器１０として、スマートフォン以外に、携帯電話機、ＰＤＡ（Personal  Digital  Assistant）、タブレット型端末、携帯型音楽プレーヤ、携帯型ゲーム機などを例示することができる。
【００１４】
図１は、本発明の一実施形態に係る電子機器１０を背面側から見た分解斜視図である。図１では、ケーシング２０は、背面側筐体２１と、背面側筐体２１の上部及び周縁を覆う外側筺体２２のみを示しており、前面側の筺体等は示していない。
【００１５】
図１には何れも示していないが、ケーシング２０の前面側には、表示部や操作部、通話用のレシーバやスピーカなどが設けられる。また、ケーシング２０の側面にはシャッターボタンや音量調整ボタン、外部接続端子等が設けられる。
【００１６】
図１に示す如く、ケーシング２０には、バッテリやＳＩＭカード、メモリカードの如き電子部品を収容する収容室２５が凹設されている。この収容室２５は、着脱可能なカバー（以下「蓋体４０」という）により塞がれる。収容室２５の周囲、図示では収容室２５の下側には、蓋体４０によって覆われる位置に凹溝３１が形成されている。凹溝３１には、後述する係合受部３０が形成されており、蓋体４０をケーシング２０に取り付けたときに、スライド操作片５０の一部が凹溝３１内を往復移動する。
【００１７】
蓋体４０は、樹脂製の薄板であり、図１及び図２に示すように、収容室２５の開口を余裕を持って覆う大きさに形成されている。蓋体４０の一方の端部、図示では下端側には、横方向に長い長溝４１が凹設されており、この長溝４１の長手方向の略中央は貫通したスリット４４となっている。長溝４１には、図２及び後述する図５乃至図７に示すように、ケーシング２０に蓋体４０をロックするロック機構を構成するスライド操作片５０が、ロック位置Ｌとロック解除位置ＵＬとの間でスライド可能に嵌まっている。
【００１８】
また、蓋体４０は、図１及び図２に示すように、側面及び上端面（図示されず）に複数の爪片４６を突設した構成とすることができ、これら爪片４６は、収容室２５の周囲に形成された爪受部２３に係止可能となっている。
【００１９】
ケーシング２０の下端には、図１及び図２に示すように、蓋体４０を取り外す際にユーザの爪を挿入する指掛かり部２７が凹設されている。指掛かり部２７は、蓋体４０に設けることもできる。
【００２０】
図３及び図４は、スライド操作片５０の斜視図である。スライド操作片５０は、図５乃至図７に示す、長溝４１にユーザが指で操作するスライダー５１が嵌まっている。スライダー５１の背面には、ケーシング２０に向けて軸部５４が突設されており、軸部５４は、スリット４４を貫通している。軸部５４の先端には、軸部５４の延びる方向と異なる方向に係合片５６が突設されている。係合片５６は、たとえば、軸部５４の軸心とスライダーのスライド方向に略直交する方向（以下「幅方向」という）に突設することができる。
【００２１】
軸部５４は、スライダー５１のスライド方向の略中央であって、スライダー５１の幅方向の中央よりも一方側に偏った位置から突設されており（図５参照）、先端の係合片５６は、スライダー５１の幅方向の中央よりも突出する位置まで延びている。
【００２２】
スライド操作片５０の係合片５６とスライダー５１によって形成される略コ字状の空間に、後述するケーシング２０の係合受部３０が嵌まって、蓋体４０を脱落しないようにロックするロック機構を構成する。
【００２３】
係合片５６の先端は、ケーシング２０と対向する外面に傾斜面５８が形成されている。図示の傾斜面５８は平面状であるが、アール形状とすることもできる。傾斜面５８は、係合片５６の先端からスライダー５１の幅方向の略中央と対向する位置まで届くように形成することが好適である。
【００２４】
然して、スライド操作片５０は、スライダー５１が蓋体４０の長溝４１に嵌まり、軸部５４がスリット４４を貫通し、蓋体４０の裏面との間に間隔を存して係合片５６が位置している。
【００２５】
スライド操作片５０は、ユーザが指でスライダー５１をロック位置Ｌからロック解除位置ＵＬ、ロック解除位置ＵＬからロック位置Ｌにスライドさせることで往復移動可能となっている。
【００２６】
なお、スライド操作片５０をロック位置Ｌにて位置決めできるように、図７に示す如く、スライダー５１の裏面と長溝４１の底面に、ロック位置Ｌにてスライド操作片５０の戻りを抑える当たり５２，４２を形成しておくことが望ましい。図示の当たり５２，４２は突部である。
【００２７】
上記したスライド操作片５０は、蓋体４０がケーシング２０に装着された状態でスライド操作することで、係合片５６がケーシング２０に凹設された凹溝３１内を往復移動する。
【００２８】
凹溝３１は、図２に示すように、ケーシング２０の横方向に長く形成されており、図２、図５及び図７に示すように、ロック位置Ｌ側には、側面端部から係合受部３０が突設されている。凹溝３１の長手側には、図６及び図７に示すように、前記長溝４１と対向する部分に浅底部３２を有する。
【００２９】
係合受部３０は、図５に最もよく示されているように、スリット４４の幅方向略中央まで延びている。これにより、スライド操作片５０をロック位置Ｌまでスライドさせたときに、係合片５６の内面と係合受部３０の内面が当たって、ケーシング２０から蓋体４０が外れないようにロックすることができる。
【００３０】
係合受部３０は、蓋体４０側の外面先端に傾斜面３３が形成されている。図５に示す傾斜面３３は平面状であるが、アール形状とすることもできる。傾斜面３３は、後述する図８に示すように、スライド操作片５０をロック位置Ｌのままで蓋体４０を装着しようとしたときに、係合片５６の先端の傾斜面５８と当接するよう形成することが好適である。
【００３１】
また、図７に示すように、係合片５６は、ロック解除位置ＵＬ側の先端にも傾斜面３４が形成されている。この傾斜面３４も平面状であるが、アール形状とすることもできる
【００３２】
上記構成の電子機器１０において、図２に示すように、蓋体４０がケーシング２０から取り外されている状態で、以下の要領により、蓋体４０をケーシング２０に装着することができる。
【００３３】
まず、スライド操作片５０をロック解除位置ＵＬに移動させ、爪片４６が爪受部２３に嵌まるように蓋体４０をケーシング２０に押し付ける。蓋体４０がケーシング２０に装着されると、スライド操作片５０をロック位置Ｌに移動させる。これにより、図５及び図７に示すように、係合片５６は、係合受部３０と当接し、蓋体４０がロックされる。このとき、係合片５６と係合受部３０は、スリット４４の幅方向略中央と対向する位置で当接するから、スライド操作片５０が傾くことなく、安定したロック状態を維持することができる。
【００３４】
蓋体４０がケーシング２０に装着されている状態から蓋体４０を取り外すには、まず、スライド操作片５０をロック解除位置ＵＬに移動させ、係合片５６と係合受部３０との係合を解き、指掛かり部２７にユーザの爪を挿入して蓋体４０を引っ張ればよい。
【００３５】
ところで、蓋体４０をケーシング２０から取り外した状態で、スライド操作片５０がロック位置Ｌに移動していることがある。このような状況下において、蓋体４０をケーシング２０に装着するために、蓋体４０をケーシング２０に押し付けると、係合片５６が係合受部３０に当たって、スライド操作片５０が蓋体４０から外れたり、破損してしまう虞がある。
【００３６】
しかしながら、本発明では、係合片５６と係合受部３０に夫々傾斜面５８，３３を設けている。従って、スライド操作片５０がロック位置Ｌにあるまま、蓋体４０をケーシング２０に押し込んだ場合には、図８に示すように、係合片５６と係合受部３０の傾斜面５８，３３どうしが当接し、係合片５６の傾斜面５８が係合受部３０の傾斜面３３上を滑る。これにより、スライド操作片５０は、軸部５４が図中矢印Ａで示すように斜め方向に撓み、または、スライド操作片５０自体が矢印Ａ方向に僅かに傾き、係合片５６が係合受部３０を乗り越える。
【００３７】
従って、スライド操作片５０がロック位置Ｌにあった場合であっても、蓋体４０をケーシング２０に押し付けることで蓋体４０を装着することができる。また、装着された蓋体４０は、スライド操作片５０がロック位置Ｌにあるから、再度スライド操作片５０を操作しなくても、蓋体４０はケーシング２０にロックされることとなる。
【００３８】
一方で、蓋体４０をケーシング２０に装着した状態で、スライド操作片５０をロック解除位置ＵＬに移動させることなく、指掛かり部２７にユーザの爪を挿入し、蓋体４０を取り外そうとした場合には、スライド操作片５０が蓋体４０から外れたり、破損してしまう虞がある。
【００３９】
しかしながら、本発明では、係合受部３０には、ロック解除位置ＵＬ側の先端に傾斜面３４が設けられているから、図９中矢印Ｂで示すように、蓋体４０は、指掛かり部２７（図２参照）側を持ち上げたときに、樹脂製の薄板である蓋体４０が撓むと共に、スライド操作片５０は斜め向きになる。その結果、スライド操作片５０の当たり５２が、長溝４１の当たり４２を乗り越え、係合片５６は係合受部３０の傾斜面３４に沿って傾斜し、傾斜面３４上を滑る結果、スライド操作片５０はロック解除位置ＵＬに移動する（図９中矢印Ｃ）。
【００４０】
つまり、スライド操作片５０がロック位置Ｌにある状態で蓋体４０を外そうとした場合には、スライド操作片５０がロック解除位置ＵＬに移動して、係合片５６と係合受部３０との係合状態が解かれるから、スライド操作片５０に無理な力は作用しない。従って、このような場合であっても、スライド操作片５０が蓋体４０から外れたり、破損してしまうことなく、蓋体４０をケーシング２０から取り外すことができる。
【００４１】
なお、本発明の各部構成は上記実施の形態に限らず、特許請求の範囲に記載の技術的範囲内で種々の変形が可能である。
【００４２】
上記実施形態では、収容室２５は、バッテリ等を収容しているが、これら以外の電子部品、たとえば、外部接続用の端子やコードなどを収容するものであってもよい。
【００４３】
また、上記実施形態では、スライド操作片５０は、直線方向に往復移動するものであるが、回転方向にスライドするスライド操作片にも本発明を適用することができる。
【符号の説明】
【００４４】
１０  電子機器
２０  ケーシング
２５  収容室
３０  係合受部
３３  傾斜面
３４  傾斜面
４０  蓋体（カバー）
５０  スライド操作片
５１  スライダー
５４  軸部
５６  係止片
５８  傾斜面
【図１】
2015005791.tif 000003
【図２】
2015005791.tif 000004
【図３】
2015005791.tif 000005
【図４】
2015005791.tif 000006
【図５】
2015005791.tif 000007
【図６】
2015005791.tif 000008
【図７】
2015005791.tif 000009
【図８】
2015005791.tif 000010
【図９】
2015005791.tif 000011